(57)【要約】【課題】特別図書の返却作業を効率よく行うことができる図書保管管理システムを提供すること。【解決手段】複数のコンテナ６，６，…のうち一部のコンテナ６’，６’，…には、複数の特別図書４Ａ，４Ａ，…を保存収容する保存容器１００が収容されており、記憶手段２８は、保存容器１００が収容されたコンテナ６’のコンテナ識別情報とコンテナ６’が保存容器１００を保有していることを示す保存容器保有情報とを対応付けて記憶しており、管理装置２４は、保存容器１００が収容されたコンテナ６’をステーション１３に呼び出すことを示す保存容器要求情報を受け付けたことに基づき、保存容器保有情報と対応付けられたコンテナ識別情報を有するコンテナ６’を抽出する。【選択図】図７
2017088255.tif 000002
【特許請求の範囲】
【請求項１】
複数の図書を収容した複数のコンテナが書庫に保管され、該複数の各図書には、当該図書を識別可能な図書識別情報が付与されるとともに、該複数の各コンテナには、当該コンテナを識別可能なコンテナ識別情報が付与されており、各コンテナ識別情報と各図書識別情報とを対応付けて記憶する記憶手段を備えた管理装置の指令に基づき、前記書庫に保管されている前記複数のコンテナの中から、コンテナを取り出してステーションに搬送することができる図書保管管理システムであって、
前記複数のコンテナのうち少なくとも一部のコンテナには、特別図書を保存収容する保存容器が収容されており、
前記記憶手段は、前記保存容器が収容されたコンテナのコンテナ識別情報と前記コンテナが前記保存容器を保有していることを示す保存容器保有情報とを対応付けて記憶しており、前記管理装置は、前記保存容器が収容されたコンテナを前記ステーションに呼び出すことを示す保存容器要求情報を受け付けたことに基づき、前記保存容器保有情報と対応付けられたコンテナ識別情報を有するコンテナを抽出することを特徴とする図書保管管理システム。
【請求項２】
前記書庫に保管されている前記複数のコンテナの中から、空きのあるコンテナを取り出して搬送することを特徴とする請求項１に記載の図書保管管理システム。
【請求項３】
前記保存容器要求情報は、前記管理装置により前記特別図書の図書識別情報に基づいて生成されることを特徴とする請求項１または２に記載の図書保管管理システム。
【請求項４】
前記管理装置は、前記特別図書の図書識別情報を受け付けた際に、前記保存容器に収容する旨を報知する報知手段を備えていることを特徴とする請求項１ないし３のいずれかに記載の図書保管管理システム。
【請求項５】
前記記憶手段は、各前記特別図書の図書識別情報と各前記特別図書の厚み情報とを予め対応付けて記憶しているとともに、前記保存容器が収容されたコンテナのコンテナ識別情報と該保管容器内の収容幅情報とを予め対応付けて記憶しており、
前記管理装置は、前記保管容器内に収容されている特別図書の厚み情報の合計と、該保管容器内の収容幅情報と、に基づき該保管容器内の空き寸法を演算する演算部を備えることを特徴とする請求項１ないし４のいずれかに記載の図書保管管理システム。
【請求項６】
前記記憶手段は、各前記特別図書の図書識別情報と各前記特別図書の厚み情報とを予め対応付けて記憶しており、前記管理装置は、前記ステーションにおいて前記保管容器内に収容されている各特別図書の厚みを検知できる検知部を備えていることを特徴とする請求項１ないし５のいずれかに記載の図書保管管理システム。
【発明の詳細な説明】
【技術分野】
【０００１】
本発明は、書庫とステーションとの間で目的のコンテナを搬送して図書の貸し出し及び返却を行う図書保管管理システムに関する。
【背景技術】
【０００２】
利用者に公開されない場所に配置され、複数の図書が収容されたコンテナを複数保管した閉架書庫を有する図書館には、利用者がステーションで管理装置を操作することにより、前記閉架書庫から目的の図書を収容するコンテナを取り出して該図書の貸し出し及び返却を自動で行う図書保管管理システムが採用されている。例えば、特許文献１に示される図書保管管理システムは、管理装置が各コンテナに付与されたコンテナ識別情報と、各図書に付与された図書識別情報と、を対応付けて記憶する記憶手段を備えることで、各コンテナに対する図書の収容状況を把握しており、利用者から所定の図書の貸し出し要求があったときに、図書識別情報及びコンテナ識別情報に基づき、該所定の図書が収容されたコンテナを呼び出して貸し出し作業を行えるようになっている。また、図書の返却作業の方法は、返却する図書と予め対応付けられたコンテナを呼び出して該図書を返却する固定ロケーション方式と、空きのあるコンテナを呼び出して図書を返却するフリーロケーション方式と、がある。フリーロケーション方式は、ステーションから近いコンテナを呼び出すことができ、固定ロケーション方式に比べ返却作業にかかる時間を短縮できるため、近年では、フリーロケーション方式での運用を採用することが多くなっている。
【０００３】
また、図書館には、一般図書の他に、典籍資料や希少本等の特別図書が保管されており、このような特別図書は、劣化防止対策やカビ対策が必要となる。これらの対策として、例えば、特許文献２に開示されるように弱アルカリ性の段ボールから成る保存容器が用いられるものがある。この保存容器は、棚に収容された時の前面が開口とされており、その開口は、保存容器の前面を構成する側板部により開閉可能となっている。保存容器内に複数の特別図書を収容することで、各特別図書が酸化、光、塵埃等により劣化することを防止している。
【０００４】
近年では、特許文献１のような図書保管管理システムにおける複数のコンテナのうち、一部のコンテナに特許文献２のような保存容器を収容して、一般図書と特別図書とを共に保管管理できるようにすることが望まれている。
【先行技術文献】
【特許文献】
【０００５】
【特許文献１】特開２０１２−３６０００号公報（第８頁、第１３図）
【特許文献２】実用新案登録第３１６１６３８公報（第４頁、第４図）
【発明の概要】
【発明が解決しようとする課題】
【０００６】
しかしながら、特許文献１のような図書保管管理システムは、記憶手段に記憶された図書識別情報とコンテナ識別情報とが対応付けられた情報のみを用いてコンテナの呼び出しを行っているため、特許文献１のような図書保管管理システムに特許文献２のような保存容器を用いて一般図書と特別図書とを共に管理する場合に、特別図書の返却作業をフリーロケーション方式で運用しようとすると、特別図書を返却する際に保存容器が収容されていないコンテナがステーションに呼ばれてしまう虞があり、保存容器が収容されたコンテナがステーションに呼び出されるまで該呼び出し作業を繰り返さなければならず、少なくともフリーロケーション方式で特別図書の返却作業を効率よく行うことができなかった。
【０００７】
本発明は、このような問題点に着目してなされたもので、特別図書の返却作業を効率よく行うことができる図書保管管理システムを提供することを目的とする。
【課題を解決するための手段】
【０００８】
前記課題を解決するために、本発明の図書保管管理システムは、
複数の図書を収容した複数のコンテナが書庫に保管され、該複数の各図書には、当該図書を識別可能な図書識別情報が付与されるとともに、該複数の各コンテナには、当該コンテナを識別可能なコンテナ識別情報が付与されており、各コンテナ識別情報と各図書識別情報とを対応付けて記憶する記憶手段を備えた管理装置の指令に基づき、前記書庫に保管されている前記複数のコンテナの中から、コンテナを取り出してステーションに搬送することができる図書保管管理システムであって、
前記複数のコンテナのうち少なくとも一部のコンテナには、特別図書を保存収容する保存容器が収容されており、
前記記憶手段は、前記保存容器が収容されたコンテナのコンテナ識別情報と前記コンテナが前記保存容器を保有していることを示す保存容器保有情報とを対応付けて記憶しており、前記管理装置は、前記保存容器が収容されたコンテナを前記ステーションに呼び出すことを示す保存容器要求情報を受け付けたことに基づき、前記保存容器保有情報と対応付けられたコンテナ識別情報を有するコンテナを抽出することを特徴としている。
この特徴によれば、特別図書を返却する際において、管理装置は、保存容器要求情報を受け付けると、保存容器保有情報と対応付けられたコンテナ識別情報を有するコンテナを抽出し、保存容器が収容されたコンテナをステーションに呼び出すことができるため、特別図書の返却作業を効率よく行うことができる。
【０００９】
前記書庫に保管されている前記複数のコンテナの中から、空きのあるコンテナを取り出して搬送することを特徴としている。
この特徴によれば、特別図書を返却する際において、管理装置は、保存容器要求情報を受け付けると、保存容器保有情報と対応付けられたコンテナ識別情報を有するコンテナを抽出し、保存容器が収容されたコンテナをステーションに呼び出すことができるため、フリーロケーション方式にて特別図書の返却作業を効率よく行うことができる。
【００１０】
前記保存容器要求情報は、前記管理装置により前記特別図書の図書識別情報に基づいて生成されることを特徴としている。
この特徴によれば、管理装置に特別図書の図書識別情報を読み込ませることにより、保存容器要求情報が生成され、保存容器を収容したコンテナの抽出が確実に且つ簡便に遂行される。
【００１１】
前記管理装置は、前記特別図書の図書識別情報を受け付けた際に、前記保存容器に収容する旨を報知する報知手段を備えていることを特徴としている。
この特徴によれば、呼び出されたコンテナに特別図書を収容する際に、報知手段の報知により、利用者が該特別図書を保存容器に収容することを把握できるので、特別図書を保存容器以外の場所に収容するミスを防止できる。
【００１２】
前記記憶手段は、各前記特別図書の図書識別情報と各前記特別図書の厚み情報とを予め対応付けて記憶しているとともに、前記保存容器が収容されたコンテナのコンテナ識別情報と該保管容器内の収容幅情報とを予め対応付けて記憶しており、
前記管理装置は、前記保管容器内に収容されている特別図書の厚み情報の合計と、該保管容器内の収容幅情報と、に基づき該保管容器内の空き寸法を演算する演算部を備えることを特徴としている。
この特徴によれば、返却する特別図書の図書識別情報を受け付けた際に、該受け付けた特別図書の厚み情報と、演算部により得られた保管容器内の空き寸法と、に基づき、保存容器内に該特別図書を収容可能な状態か否かを判断でき、特別図書を収容可能な状態の保存容器が収容されたコンテナを選択して呼び出すことができるため、特別図書を返却するコンテナをステーションに呼び出す作業が１回で済む。
【００１３】
前記記憶手段は、各前記特別図書の図書識別情報と各前記特別図書の厚み情報とを予め対応付けて記憶しており、前記管理装置は、前記ステーションにおいて前記保管容器内に収容されている各特別図書の厚みを検知できる検知部を備えていることを特徴としている。
この特徴によれば、検知部により検知された保存容器内の特別図書の実際の厚みの合計と、記憶手段に記憶された前記保存容器内の特別図書のデータ上の厚みの合計と、を比較することにより、該保存容器に対して実際に収容されている特別図書が適正であるか否かを確認できる。
【図面の簡単な説明】
【００１４】
【図１】実施例における図書保管管理システムの全体像を示す側面図である。
【図２】ステーションの構造を示す斜視図である。
【図３】ステーションの構造を示す上面断面図である。
【図４】図書保管管理システムの構成を示すブロック図である。
【図５】（ａ）は、コンテナの構造を示す斜視図であり、（ｂ）は、保存容器が収容されたコンテナを示す斜視図である。
【図６】図書情報テーブルを示す図である。
【図７】コンテナ情報テーブルを示す図である。
【図８】入庫作業の流れを示すフローチャートである。
【発明を実施するための形態】
【００１５】
本発明に係る図書保管管理システムを実施するための形態を実施例に基づいて以下に説明する。
【実施例】
【００１６】
実施例に係る図書保管管理システムにつき、図１から図８を参照して説明する。以下、図３の画面下側をステーションの正面側（前方側）として説明する。
【００１７】
図１に示されるように、本発明の図書保管管理システム１は、例えば、図書館にて地上階に設けられ利用者に公開されている開架書庫２と、図書館の地下階に設けられ利用者に公開されていない閉架書庫３と、の間に亘って設置されており、閉架書庫３に収容されている図書４，４，…を利用者の要求に応じて開架書庫２まで搬送する自動倉庫を用いたシステムである。
【００１８】
閉架書庫３には、図書４，４，…を収容するための複数の書棚５，５，…が配置されており、書棚５，５，…には、複数の図書４，４，…等が収容された複数のコンテナ６，６，…が収容されている。また、本実施例における閉架書庫３には、一般図書４Ｂ，４Ｂ，…と、一般図書４Ｂ，４Ｂ，…に比べ劣化防止対策やカビ対策の要求の高い典籍資料や希少本等の特別図書４Ａ，４Ａ，…と、が混在して収容されている（図５（ｂ）参照）。
【００１９】
図１に示されるように、図書保管管理システム１は、閉架書庫３にて書棚５，５，…から図書４，４，…が収容されたコンテナ６，６，…を取り出すための複数基のスタッカクレーン１０，１０，…と、地下階である閉架書庫３と地上階である開架書庫２との間を昇降可能とする搬送エレベータ１１と、を備え、スタッカクレーン１０，１０，…によって書棚５，５，…から取り出されたコンテナ６，６，…は、コンベア１２を介して搬送エレベータ１１に受け渡されるようになっている。尚、後述する管理装置２４からの指令に基づき、スタッカクレーン１０，１０，…は、各書棚５，５，…における指定のコンテナ６の収容位置まで前後並びに上下方向に自動走行して、指定のコンテナ６の出し入れを行うようになっている。
【００２０】
また、図書保管管理システム１は、閉架書庫３からコンテナ６，６，…を搬送可能であって、利用者が目的の図書４，４，…の貸し出し及び返却を行うことができるステーション１３と、コンテナ６，６，…を一時保管するためのロータリーラック１４と、を備えている。搬送エレベータ１１によって地上階まで搬送されたコンテナ６，６，…は、コンベア１５を介してステーション１３及びロータリーラック１４まで搬送されるようになっている。尚、本実施例における利用者とは、図書館の司書や、図書館が設置された学校の学生や教授等である。
【００２１】
図２に示されるように、ステーション１３の上部には、その内部が中空である中空部１６が形成されている。この中空部１６内には、搬送エレベータ１１側からコンベア１５が延設されており、図書４，４，…が収容されているコンテナ６，６，…を中空部１６内に搬送可能となっている。
【００２２】
図２及び図３に示すように、ステーション１３の中空部１６内の中央には、コンベア１５に連続して設けられたターンテーブル１９が配設されている。ステーション１３に搬送されたコンテナ６，６，…は、このターンテーブル１９上に載置されるようになっている。
【００２３】
尚、ステーション１３の利用者は、後述するタッチパネル２０及びキーボード６８の操作によってターンテーブル１９を回転させてコンテナ６，６，…を水平回転させることができる。そのため、コンテナ６，６，…は、その正面側及び背面側のいずれの側も利用者側に向けることができるようになり、コンテナ６，６，…の正面側及び背面側の両側に図書４，４，…を収容しておくことができ、コンテナ６，６，…内のスペースを有効利用できる。
【００２４】
そして、ステーション１３の上部正面側には、左右方向に中空部１６を開閉自在なスライド扉２１が取り付けられており、利用者は、このスライド扉２１を開放することによって中空部１６に搬送されてきたコンテナ６，６，…から図書４，４，…を取り出せるようになっている。尚、このステーション１３の開口部近傍には、後述するカメラ３１（検知部）が設置されている。
【００２５】
また、図３に示されるように、コンベア１５は、搬送エレベータ１１側からステーション１３の中空部１６内に延設されているとともに、中空部１６内からさらに搬送エレベータ１１側に延設されている平面視でＵ字状に形成されている。コンテナ６，６，…は、ステーション１３において画面右側から画面左側へと一方通行に搬送されるようになっている。
【００２６】
また、ステーション１３の中空部１６内の上流側と下流側には、コンベア１５の正面側と背面側の両側に、コンテナ６，６，…の正面側と背面側の両側に取り付けられた後述するコンテナ用バーコード２２，２２からコンテナＩＤ（コンテナ識別情報）を読み取るためのコンテナ用バーコードリーダ２３，２３，…がそれぞれ設けられている。
【００２７】
また、同様のコンテナ用バーコードリーダ２３，２３，…が開架書庫２におけるステーション１３外のコンベア１５及び閉架書庫３におけるコンベア１２近傍にも複数箇所に取り付けられている。コンテナ６，６，…のコンテナ用バーコード２２，２２，…がコンベア１２，１５に設けられたコンテナ用バーコードリーダ２３，２３，…で読み取られることにより、各コンテナ６，６，…の搬送経路における現在位置情報等を管理装置２４が把握することができるようになっている。
【００２８】
尚、前述のロータリーラック１４は、内部に複数のコンテナ６，６，…を収容可能となっており、閉架書庫３からステーション１３に呼び出されたコンテナ６，６，…が複数ある場合等にコンテナ６，６，…をロータリーラック１４に待機させることができるようになっている。
【００２９】
搬送エレベータ１１を介して地上階に搬送された複数のコンテナ６，６，…がロータリーラック１４に一時保管された後、コンテナ６，６，…は所定の順序でロータリーラック１４から運び出される。そして、ロータリーラック１４から運び出されたコンテナ６，６，…は、平面視で右側のコンベア１５から中央のステーション１３に搬送され、ステーション１３での処理が終わったコンテナ６，６，…は、左側のコンベア１５に載せられて再び搬送エレベータ１１によって地下階の閉架書庫３へと搬送されるようになっている。
【００３０】
図２に示されるように、ステーション１３の正面側には、利用者がコンテナ６から取り出した図書４，４，…を載置するための天板２５が設けられている。この天板２５上には、ステーション１３を利用する利用者に対して、図書４，４，…の貸し出し及び返却作業の指示を行うためのタッチパネル２０が設けられている。このタッチパネル２０は、利用者が直接指等を接触させて操作可能になっている。また、天板２５には、図書４，４，…の図書用バーコード７，７，…（図５（ｂ）参照）から図書ＩＤ等の情報を読み取るための図書用バーコードリーダ８が埋設されている。
【００３１】
図４に示されるように、図書館の管理室（図示略）等には、閉架書庫３からの図書４，４，…の貸し出し及び返却を管理する管理装置２４が設けられている。この管理装置２４は、図書情報テーブル（図６参照）とコンテナ情報テーブル（図７参照）が記憶されている記憶部２８（記憶手段）と、管理装置２４内で各種制御を行う制御部２９と、後述する演算部３０と、から構成されている。
【００３２】
この制御部２９には、閉架書庫３においてステーション１３を構成するコンテナ用バーコードリーダ２３，２３，…と、図書用バーコードリーダ８と、ターンテーブル１９と、タッチパネル２０と、キーボード６８と、カメラ３１と、が接続されている。また、制御部２９には、閉架書庫３においてステーション１３以外を構成するコンベア１５と、ロータリーラック１４と、コンテナ用バーコードリーダ２３，２３，…と、が接続されている。尚、本実施例における図書保管管理システム１には、複数のステーション１３，１３，…が設けられており、制御部２９には、各ステーション１３，１３，…がそれぞれ接続され、ステーション１３，１３，…毎に独立して制御できるようになっている。
【００３３】
さらに、制御部２９には、閉架書庫３のコンベア１２と、スタッカクレーン１０，１０，…と、搬送エレベータ１１と、コンテナ用バーコードリーダ２３，２３，…と、が接続されている。
【００３４】
図５（ｂ）に示されるように、コンテナ６に収容されている図書４，４，…には、各図書４，４，…毎に固有の図書ＩＤ（図書識別情報）が記憶されている図書用バーコード７，７，…が貼り付けられている。この図書４，４，…の図書用バーコード７，７，…が図書用バーコードリーダ８で読み取られることにより、各図書４，４，…の図書ＩＤに対応付けられて記憶部２８に記憶された図書関連情報（図６参照）を管理装置２４が把握できるようになっている。尚、図書関連情報については、後段にて詳述する。
【００３５】
次いで、コンテナ６の構造について説明する。図５（ａ）に示されるように、コンテナ６は、矩形状の底面板６ａの外縁に沿って前後に立設する一対の第１側壁６ｂ，６ｂと、左右に立設する一対の第２側壁６ｃ，６ｃと、により上方が開口している。第１側壁６ｂ，６ｂの外面側には、前述したコンテナ用バーコード２２，２２が設けられており、コンテナ用バーコード２２，２２には、コンテナＩＤの他に、正面側・背面側であることを示す情報（前後位置）がそれぞれ付与されている（図７参照）。また、コンテナ６は、第２側壁６ｃ，６ｃに亘って延設される仕切板１８によって正面側と背面側とに分割されており、図書４，４，…は、その背表紙４ａ，４ａ，…を第１側壁６ｂ，６ｂ側に向けた状態でコンテナ６の正面側と背面側に収容されている。さらに、コンテナ６は、底面板６ａ及び第１側壁６ｂ，６ｂに亘って前後方向に延設されるリブ６ｅによって構造強度が高められている。尚、コンテナ６の第１側壁６ｂ，６ｂは、第２側壁６ｃ，６ｃよりも低くなっており、図書４，４，…を収容した状態で図書４，４，…の背表紙４ａ，４ａ，…を視認しやすい高さになっている。
【００３６】
また、図５（ｂ）に示されるように、コンテナ６，６，…のうち一部のコンテナ６’，６’，…には、特別図書４Ａ，４Ａ，…を収容するための箱状の保存容器１００が収容されている。保存容器１００は、中性紙や調湿紙等の素材から構成されており、ＩＰＭ（総合的有害生物管理）に配慮して劣化防止対策やカビ対策を行いながら特別図書４Ａ，４Ａ，…を収容することができる。尚、本実施例では、コンテナ６’の正面側または背面側のいずれか一方に保存容器１００が収容され、他方に一般図書４Ｂ，４Ｂ，…を収容する一般図書収容部６０として利用する態様について説明する（図３及び図５参照）。
【００３７】
保存容器１００は、コンテナ６’に収容された状態で上面の開閉部１００ａを開閉可能であるとともに、前面の開閉部１００ａ’は、コンテナ６’の前面側の第１側壁６ｂの上縁に沿って折り曲げるようにして開閉可能となっている。保存容器１００の上面及び前面の開閉部１００ａ，１００ａ’をそれぞれ開けることによって、開口部を広く利用して保存容器１００内に特別図書４Ａ，４Ａ，…を出し入れしやすい構造となっている。また、保存容器１００の底面には、前後方向に切込部（図示しない）が設けられており、下方からコンテナ６’のリブ６ｅを嵌挿可能となっている。
【００３８】
次いで、記憶部２８について説明する。図６に示されるように、記憶部２８に記憶されている図書情報テーブルには、図書４の図書ＩＤに対して、図書４のタイトルと、巻号、年月次と、厚さと、この図書４が収容されているコンテナ６のコンテナＩＤと、図書４がコンテナ６の正面側と背面側のいずれの側に配置されるかを示す配置位置と、図書区分と、が図書関連情報として対応付けられて記憶されている。この図書区分とは、図書４が特別図書４Ａであるか一般図書４Ｂであるかを区分する情報である。これらの情報は、図書４を図書保管管理システム１に導入する時に記憶部２８に予め記憶させているとともに、蔵書点検時などに書き換えられるようになっている。また、これらの情報は、図書４の図書用バーコード７に対して付与されていてもよい。尚、後述のように、管理装置２４は、図書４の図書ＩＤを受け取った際に該図書４の図書区分が特別図書４Ａであると把握した場合に当該特別図書４Ａである図書区分情報に基づいて、保存容器１００を収容したコンテナ６’をステーション１３に呼び出し要求する保存容器要求情報を生成するようになっている。さらに尚、本実施例では、コンテナ６内の図書４の配置位置は、コンテナ６の正面側をＡ、背面側をＢとして登録されている。また、図書関連情報には、上記の他に著者、出版社、ページ数等が記憶されていてもよい。
【００３９】
また、図７に示されるように、記憶部２８に記憶されているコンテナ情報テーブルには、コンテナ６のコンテナＩＤに対して、コンテナ６が閉架書庫３内のいずれの書棚５にあるかを示すロケーションと、貸し出しまたは返却によって入出庫が行われた最新の日付を示す入出庫日付と、コンテナ６の前面側及び背面側のいずれかをＡ及びＢで示す前後位置と、コンテナ６の各前面側及び背面側が保存容器１００であるか一般図書収容部６０であるかを示す収容形態と、保存容器１００或いは一般図書収容部６０の収容状況を示す空き情報と、後述する演算部３０において演算される保存容器１００或いは一般図書収容部６０内の残りの収容幅を示す空き寸法と、からなるコンテナ関連情報が関連付けて記憶されている。これらの情報は、コンテナ６を図書保管管理システム１に導入する時に記憶部２８に予め記憶させているとともに、蔵書点検時などに書き換えられるようになっている。また、これらの情報は、コンテナ６のコンテナ用バーコード２２に対して付与されていてもよい。尚、コンテナ情報テーブルの並び順は、ステーション１３から近い書棚５に収容されたコンテナ６，６，…順となっている。
【００４０】
また、これら図書情報テーブル及びコンテナ情報テーブルは、図書４，４，…の貸し出し及び返却が行われる度に更新されるようになっている。
【００４１】
次に、演算部３０について説明する。演算部３０は、記憶部２８に記憶されている図書情報テーブル及びコンテナ情報テーブルの情報から、各コンテナ６，６’，…の保存容器１００或いは一般図書収容部６０内にそれぞれ収容されている図書４，４，…の厚み情報の合計寸法と、記憶部２８内に予め記憶された保存容器１００或いは一般図書収容部６０内の収容幅寸法（図示略）と、に基づき保存容器１００或いは一般図書収容部６０内の空き寸法の演算を行い、記憶部２８のコンテナ情報テーブルに対して当該空き寸法の情報を書き換えている。
【００４２】
尚、本実施例において、記憶部２８に記憶されているコンテナ情報テーブルにおける図書４を収容可能な状態か否かを示す空き情報を決定する基準として演算部３０によって演算された空き寸法が３０ｍｍ以上のものは、空き情報を有とし、空き寸法が３０ｍｍ未満のものは、空き情報を無としている。さらに尚、空き寸法の判断基準は３０ｍｍに限られず、自由に設定されてよい。
【００４３】
次いで、図書４，４，…をコンテナ６，６，…に返却する入庫作業について説明する。本実施例の図書保管管理システム１における入庫作業は、できるだけステーション１３に近くに収容された空きのあるコンテナ６，６’，…を呼び出して、返却対象となる特別図書４Ａまたは一般図書４Ｂを収容するフリーロケーション方式を採用している。尚、本実施例の図書保管管理システム１は、各図書ＩＤに対応付けられた特定のコンテナＩＤを有するコンテナ６，６’，…を呼び出す固定ロケーション方式にて入庫作業を行うことができることは言うまでもない。
【００４４】
図８に示されるように、図書４の返却を行う場合、利用者は、ステーション１３においてタッチパネル２０を操作し、管理装置２４に対して入庫ボタン（図示せず）を入力することにより、管理装置２４における入庫処理が開始される（ステップＳ１）。その後、図書用バーコードリーダ８を使用して図書４の図書用バーコード７の読み取りを行い、これにより、制御部２９において、図書４の図書用バーコード７から図書ＩＤが読み込まれる（ステップＳ２）。
【００４５】
次いで、制御部２９で読み込まれた図書４の図書ＩＤを基に記憶部２８に記憶された図書情報テーブルの情報との照合が行われ、図書４の図書ＩＤに対応付けられた図書区分が特別図書４Ａであるかどうかを判定するステップＳ３が行われる。
【００４６】
ステップＳ３において図書４の図書区分が特別図書４Ａと判定された場合には、ステップＳ４へ進み、コンテナ情報テーブルの１行目から順に収容形態が保存となっているコンテナＩＤの指定が行われる。次いで、指定されたコンテナＩＤに対応付けられた空き情報が有であるかどうかを判定するステップＳ５が行われる。ステップＳ５において保存容器１００の空き情報が有と判定された場合には、ステップＳ６へ進み、指定されたコンテナＩＤに対応付けられた空き寸法が特別図書４Ａの厚さよりも大であるかどうかの判定が行われる。ステップＳ６において保存容器１００の空き寸法は特別図書４Ａの厚さよりも大と判定された場合には、ステップＳ７へ進み、当該コンテナＩＤに対応するコンテナ６’をステーション１３へと呼び出す制御が行われる。また、指定されたコンテナＩＤがステップＳ５及びステップＳ６における各判定でＮＯと判定された場合には、ステップＳ４へ戻り、上記工程を繰り返す。
【００４７】
尚、管理装置２４は、返却作業時において、図書４の図書ＩＤを受け付けた際に、記憶部２８に記憶されている図書情報テーブルを参照し、図書４の図書区分が特別図書４Ａである場合には、保存容器１００へ収容する旨をタッチパネル２０（報知手段）の画面上に表示して利用者に報知するようになっている。これによれば、特別図書４Ａを呼び出されたコンテナ６の保存容器１００内に収容することを利用者が把握できるため、特別図書４Ａを保存容器１００以外の場所（一般図書収容部６０）に収容するミスを防止することができる。尚、この報知手段は、タッチパネル２０に限られず、例えば、音声や光などにより保存容器１００へ収容する旨を報知するようになっていてもよい。
【００４８】
また、ステップＳ３において図書４の図書区分が一般図書４Ｂと判定された場合には、ステップＳ８へ進み、コンテナ情報テーブルの１行目から順に収容形態が一般となっているコンテナＩＤの指定が行われる。
【００４９】
次いで、指定されたコンテナＩＤに対応付けられた空き情報が有であるかどうかを判定するステップＳ９が行われる。ステップＳ９において一般図書収容部６０の空き情報が有と判定された場合には、ステップＳ１０へ進み、指定されたコンテナＩＤに対応付けられた空き寸法は一般図書４Ｂの厚さよりも大であるかどうかの判定が行われる。ステップＳ１０において保存容器１００の空き寸法は一般図書４Ｂの厚さよりも大と判定された場合には、ステップＳ７へ進み、当該コンテナＩＤに対応するコンテナ６をステーション１３へと呼び出す制御が行われる。また、指定されたコンテナＩＤがステップＳ９及びステップＳ１０における各判定でＮＯと判定された場合には、ステップＳ８へ戻り、上記工程を繰り返す。
【００５０】
このように、特別図書４Ａを返却する際において、管理装置２４は、保管容器要求情報に基づき、保管容器保有情報と対応付けられたコンテナＩＤを有するコンテナ６’を抽出し、保存容器１００が収容されたコンテナ６’のみをコンテナ情報テーブル上で選択できるため、フリーロケーション方式にて特別図書４Ａの返却作業を効率よく行うことができる。
【００５１】
また、前記保存容器要求情報は、管理装置２４により特別図書４Ａとする図書区分情報に基づいて生成されるため、特別図書４Ａの図書ＩＤが読み込まれた際に、保存容器要求情報に基づいてコンテナ情報テーブル上で保存容器１００を収容したコンテナ６’の抽出が確実に且つ簡便に遂行される。
【００５２】
また、受け付けられた特別図書４Ａ（一般図書４Ｂ）の厚み情報と、演算部３０により得られた保存容器１００（一般図書収容部６０）内の空き寸法と、に基づき、保存容器１００内に特別図書４Ａを収容可能な状態か否かを判断でき、特別図書４Ａを収容可能な状態の保存容器１００が収容されたコンテナ６’をコンテナ情報テーブル上から選択して呼び出すことができるため、特別図書４Ａを返却するコンテナ６’をステーション１３に呼び出す作業を１回で済ませることができる。
【００５３】
また、上述のようにコンテナ情報テーブルの並び順は、ステーション１３に近い書棚５に収容されたコンテナ６，６，…順となっているため、収容条件を満たし、且つ最も近い位置に収容されたコンテナ６またはコンテナ６’をステーション１３に呼び出すことができ、入庫作業の効率を高めることができる。
【００５４】
また、図２に示されるように、ステーション１３にて利用者が図書４の出し入れをする際には、前述したカメラ３１によりコンテナ６の保存容器１００内（或いは一般図書収容部６０内）を撮影されている。このカメラ３１により撮影された画像データは、管理装置２４に送られ、該管理装置２４の画像データ処理部（図示略）により、保存容器１００内に収容されている各図書４，４，…の実際の厚みの合計を検知できるようになっている。管理装置２４は、記憶部２８に記憶された図書情報テーブル及びコンテナ情報テーブルの情報を基に演算されたコンテナ６の保存容器１００の図書４，４，…のデータ上の厚みの合計を、前記保存容器１００内の図書４，４，…の実際の厚みの合計と比較することができ、これにより、コンテナ６の保存容器１００内に対して実際に収容されている図書４，４，…が適正であるか否かを確認することができる。尚、カメラ３１に画像データ処理部が内蔵されていてもよい。さらに尚、図書４，４，…の厚みの実際の合計の検知方法としては、光学式、超音波式等の検出方法を用いて図書４，４，…の厚みを直接測定することにより、図書４，４，…のそれぞれの厚みを検出するようにしてもよい。
【００５５】
尚、前記実施例では、記憶部２８に記憶されている各図書４，４，…の厚み情報と、保存容器１００及び一般図書収容部６０内の空き寸法と、を比較することにより、図書４を返却可能なコンテナ６を検出し、当該コンテナ６をステーション１３に呼び出す態様となっていたが、これに限られず、例えば、記憶部２８に、保存容器１００が収容されたコンテナ６のコンテナＩＤと、保存容器１００内に特別図書４Ａ，４Ａ，…を収容可能な最大冊数情報と、を予め対応付けて記憶させておき、返却する特別図書４Ａの図書ＩＤを受け付けた際に、収容される特別図書４Ａの冊数が最大冊数に満たない保存容器１００が収容されたコンテナ６を選択して、該コンテナ６をステーション１３に呼び出すようにしてもよい。
【００５６】
尚、前記実施例では、保管容器保有情報は、コンテナＩＤに対して対応付けて記憶部２８に記憶されている態様となっていたが、保存容器１００，１００，…毎に固有の保管容器ＩＤが付与されたバーコード部を設け、コンテナＩＤと保管容器ＩＤとを対応付けることで保管容器保有情報としてもよい。これによれば、万が一コンテナ６’に対して保存容器１００が入れ替わった際には、管理装置２４が異常として認識できるので、保存容器１００とコンテナ６’との適正な関係性を保つことができる。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、前記実施例では、各種バーコード部によって図書及びコンテナの情報の識別を行うようにしているが、公知のパッシブ型のＲＦＩＤタグを用いて内蔵したＩＣチップを非接触方式（無線方式）で、読み取らせるようにしてもよい。
【００５９】
尚、コンテナ６には、正面側と背面側の両方に保存容器１００，１００がそれぞれ収容されてもよいし、コンテナ６に保管容器が左右方向に２つ以上収容されてもよいし、保管容器と一般図書収容部とを左右方向に複数組み合わせた態様であってもよい。
【００６０】
また、前記実施例では、記憶部２８にて特別図書４Ａの図書ＩＤに対応付けて記憶されている図書区分情報に基づいて、保存容器を収容するコンテナを要求する保存容器要求情報を生成する例について説明したが、これに限られず、例えば、特別図書４Ａの返却時に、利用者がタッチパネル２０に表示される特別図書返却ボタンを押すことにより管理装置２４に出力される信号から保存容器要求情報を生成する構成としてもよく、この場合、記憶部２８が図書区分情報を記憶していなくてもよい。
【００６１】
また、前記実施例では、コンテナ６の収容形態（保存容器１００か一般収容部６０かを示す情報）がコンテナ情報テーブルに記憶されている例について説明したが、前記収容形態は、コンテナ用バーコード２２に付与されるものであってもよい。
【００６２】
また、前記実施例では、図書４の図書区分（特別図書４Ａか一般図書４Ｂかを示す情報）が図書情報テーブルに記憶されている例について説明したが、前記図書区分は、図書用バーコード７に付与されるものであってもよい。
【符号の説明】
【００６３】
１                図書保管管理システム
２                開架書庫
３                閉架書庫
４Ａ              特別図書
４Ｂ              一般図書
５                書棚
６，６’          コンテナ
７                図書用バーコード（図書識別情報）
２０              タッチパネル（報知手段）
２２              コンテナ用バーコード（コンテナ識別情報）
２３              コンテナ用バーコードリーダ
２４              管理装置
２８              記憶部（記憶手段）
２９              制御部
３０              演算部
３１              カメラ（検知部）
６０              一般図書収容部
１００            保管容器
【図１】
2017088255.tif 000003
【図２】
2017088255.tif 000004
【図３】
2017088255.tif 000005
【図４】
2017088255.tif 000006
【図５】
2017088255.tif 000007
【図６】
2017088255.tif 000008
【図７】
2017088255.tif 000009
【図８】
2017088255.tif 000010